(57)【要約】【課題】既存の照明器具に取り付けて使用することが可能であり、簡単な構造で漏れ光を遮断することができるＬＥＤ照明器具照度コントロールパネルを提供する。【解決手段】街灯用の照明器具と、該照明器具を取り付ける支柱との接属部分に接続する取り付け金具であって、前記照明器具の一端側に嵌入する支柱を挿通して固定する固定部と、該固定部と連設し前記照明器具の支柱側下面に接続する接続片と、前記固定部と直交して設けられた回動軸と、該回動軸周りに回動する可動部材と、該可動部材と前記接合片により保持される光反射板からなり、該可動部材の回動によって前記光反射板を湾曲させ、前記照明装置の光照射面から前記支柱側へ照射される一部の漏れ光を遮断すると共に、該光を照明器具側下方へ反射する。【選択図】        図１
2010123520.tif 000002
【特許請求の範囲】
【請求項１】
街灯用の照明器具と、該照明器具を取り付ける支柱との接属部分に接続するＬＥＤ照明器具照度コントロールパネルであって、前記照明器具の一端側に嵌入する支柱を挿通して固定する固定部と、該固定部と連設し前記照明器具の支柱側下面に接続する接続片と、前記固定部と直交して設けられた回動軸と、該回動軸周りに回動する可動部材と、該可動部材と前記接合片により保持される光反射板からなり、該可動部材の回動によって前記光反射板を湾曲させ、前記照明器具の光照射面から前記支柱側へ照射される漏れ光を遮断すると共に、該光を照明器具側下方へ反射することを特徴とするＬＥＤ照明器具照度コントロールパネル。
【請求項２】
前記光反射板は、一端を前記照明器具の光照射側の一端に前記接続片を介して取り付けられ、他端を前記可動部材に取り付けられた金属製の薄板からなり、前記可動部材の回動に伴って前記照明器具の光照射面側に湾曲することを特徴とする請求項１記載のＬＥＤ照明器具照度コントロールパネル。
【請求項３】
前記回動部材の回動方向と直交する両端部に、蝶番を介して一対の反射板をさらに設け、前記可動部材の回動による前記光反射板の湾曲と、前記蝶番周りの前記一対の反射板の回動によって前記照明器具の光照射面から前記支柱側へ照射される漏れ光を遮断すると共に、該光を照明器具側下方へ反射することを特徴とする請求項１又は２に記載のＬＥＤ照明器具照度コントロールパネル。
【発明の詳細な説明】
【技術分野】
【０００１】
本発明は、街灯用の照明器具と支柱とを接続する灯具取り付け金具であって、簡単な構造で漏れ光を遮断するＬＥＤ照明器具照度コントロールパネルに関するものである。
【背景技術】
【０００２】
従来、道路や舗道等の路面を照明する街灯には、高輝度ランプや蛍光ランプが光源として用いられてきた。また、この光源の光を路面に均一に照射させるために反射鏡が使用されている。
【０００３】
ところが、上記の街灯を住宅や田畑に接近した道路や舗道等に設置すると、周辺の住民は街灯の漏れ光によって光害を受け、また田畑では夜間も照射光を受けるため、稲や野菜の生育が不良となるという問題があった。
【０００４】
そこで、下面を開口した搭体の内部に配置してなる反射鏡と、光源を有し、また光源の光中心の後方で且つ光源の下方に位置して遮光壁を灯体と一体的に突出形成し、灯体の後方への照射光の一部を遮光する道路用照明器具が提案されている（特許文献１参照。）。また１又は複数のＬＥＤモジュールを取付台に複数取付けて光源を構成し、反射鏡を使用せずに漏れ光などの無駄な光を生じない照明器具もある（特許文献２参照。）。
【０００５】
【特許文献１】特開２０００−２２２９１１号公報
【特許文献２】特開２００７−２４２２５８号公報
【発明の開示】
【発明が解決しようとする課題】
【０００６】
しかしながら、上記特許文献１に提案されている装置は、単数のランプ光源を使用して漏れ光を制御する構造であり、照明器具本体も大きく、構造も複雑となるという問題があった。また、上記特許文献２の照明器具は、複数のＬＥＤモジュールを階段状の複数の段部を設けた取付台に取り付け構造であり、また取付けるＬＥＤモジュールも照射する角度を選んだものを使用する必要があり、製造コストが掛かるものであった。さらに、街灯として通常使用される照明器具に取付けて上記の漏れ光を防止する照明器具照度コントロールパネルはいまだ見られない。
【０００７】
上記の問題点に鑑み本発明者らは、既存の照明器具に取付けて使用することが可能であり、簡単な構造で漏光を遮断することができるＬＥＤ照明器具照度コントロールパネルを提供するに至った。
【課題を解決するための手段】
【０００８】
このため本発明のＬＥＤ照明器具照度コントロールパネルは、照明器具の一端側に嵌入する支柱を挿通して固定する固定部と、該固定部と連設し前記照明器具の支柱側下面に接続する接続片と、前記固定部と直交して設けられた回動軸と、該回動軸周りに回動する可動部材と、該可動部材と前記接合片により保持される光反射板からなり、該可動部材の回動によって前記光反射板を湾曲させ、前記照明器具の光照射面から前記支柱側へ照射される漏れ光を遮断すると共に、該光を照明器具側下方へ反射することを第一の特徴とする。
【０００９】
また、前記光反射板は、一端を前記照明器具の光照射側の一端に前記接続片を介して取り付けられ、他端を前記可動部材に取り付けられた金属製の薄板からなり、前記可動部材の回動に伴って前記照明器具の光照射面側に湾曲することを第二の特徴とする。
【００１０】
そして、前記回動部材の回動方向と直交する両端部に、蝶番を介して一対の反射板をさらに設け、前記可動部材の回動による前記光反射板の湾曲と、前記蝶番周りの前記一対の反射板の回動によって前記照明器具の光照射面から前記支柱側へ照射される漏れ光を遮断すると共に、該光を照明器具側下方へ反射することを第三の特徴とする。
【発明の効果】
【００１１】
本発明に係るＬＥＤ照明器具照度コントロールパネルによれば、街灯用の照明器具と、該照明器具を取り付ける支柱との接属部分に接続する構成であるため、既存の照明器具を有効に活用できると共に、効果的に支柱方向への漏れ光を遮断できるという効果を有する。
【００１２】
しかも、可動部材の回動角度及び前記一対の反射板の回動角度を調節することで、照明器具側下方への反射光量を調節することができるという優れた効果を有する。
【発明を実施するための最良の形態】
【００１３】
以下、本発明を実施例を示す図面を参照しながら説明するが、本発明が本実施例に限定されないことは言うまでもない。図１は、本発明のＬＥＤ照明器具照度コントロールパネルの一実施例を示す斜視図、図２はＬＥＤ照明器具照度コントロールパネルの構成を示す説明図、図３は本発明のＬＥＤ照明器具照度コントロールパネルの使用例を示す説明図、図４は図３の可動部材の動作を示す説明図、図５は本発明のＬＥＤ照明器具照度コントロールパネルの他の実施例の構成を示す説明図、図６は図５の反射板の動作を示す説明図、図７は底面説明図である。
【実施例】
【００１４】
図１は、本発明のＬＥＤ照明器具照度コントロールパネルに示す斜視図であり、（ａ）はＬＥＤ照明器具照度コントロールパネルの全体斜視図を示し、（ｂ）は可動部材を示している。図に示すように、本発明のＬＥＤ照明器具照度コントロールパネル１は、街灯用の支柱を挿通して固定する固定部材２と、この固定部材２の下部に取り付けられ後述する照明器具の支柱側下面に接続する接続片３と、接続片３の後端側と回動可能に接続する可動部材４と、接続片３と可動部材４に取り付けたられた反射板５とから構成されている。
【００１５】
固定部材２は、金属製板材を略筒状に形成されており、その内径は挿通して固定する支柱の外径と同等かやや大径とされ、また固定部材２の上部には長手方向に沿って切取り部が形成されると共に、この切取り部に沿って一対の圧着片６が対向して立設され、ボルト７による圧着によって支柱を固定する。
【００１６】
接続片３は、固定部材２の下部から連設された金属製の板材からなり、固定部材２側の両端部には、後述する可動部材と回動可能に接続する一対の起立部８が夫々形成され、この起立部８には可動部材４と接続する孔部９が穿設されている。また接続片３の先端側には、後述する反射板５を固定する固定孔部１０が穿設されている。
【００１７】
可動部材４は、金属製板材の両端を直角に折り返して、略直角三角形に成形して側面補強部２１とし、他の２辺の一端側の中央部には、前記接続片３と対向して切り欠き部１１が形成され、さらにこの切欠き部１１に沿って一対の折返し片１２が形成され前記起立部８と対向する。そしてこの折返し片１２には起立部８の孔部９と対向して孔部１３が穿設されている。
【００１８】
反射板５はステンレス製の板材からなり、その一端側は上記固定孔部１０に対向して孔部１４が穿設されボルト１５によって接続片３と固定される。また他端側は上記可動部材４の下面に溶接或いは接着剤による固定か、ボルトによって固定され、可動部材４の可動に伴って湾曲する。
【００１９】
図２は、図１のＬＥＤ照明器具照度コントロールパネルの構成を示す説明図であり、（ａ）は固定部材２正面から見た組立て状態を示し、（ｂ）は側面から見た組立て状態を示している。図に示すように接続片３の起立部８と可動部材４の折返し片１２はボルト１６によって接続し、ボルト１６周りに可動部材４は回動可能とされている。そして、反射板５の一端側は可動部材４の下部に取り付けられ、反射板５の他端側は孔部１４と、接続片３の固定孔部１０にボルト１５を通して照明装置の支柱側下面で固定されており、可動部材４の回動に伴い湾曲する。
【００２０】
上記の構成のＬＥＤ照明器具照度コントロールパネル１は、支柱を固定部材２に挿入してボルト７によって固定し、接続片３と反射板５を照明器具の支柱側下面でボルト１５に固定することができる。そして、可動部材４をボルト１６周りに照明器具の光照射面側に回動させて反射板５を湾曲した状態で固定することによって、照明器具からの支柱方向への漏れ光を反射板５によって反射或いは散乱させて遮断することが可能となる。尚、上記の固定部材２、接続片３、可動部材４に使用する金属板材は、長期間使用可能なステンレス、アルミ合金などが使用される。
【００２１】
図３、図４は、本発明のＬＥＤ照明器具照度コントロールパネル１の使用例を示す図であり、図３は照明器具１７に支柱１８を接続し、さらに本発明のＬＥＤ照明器具照度コントロールパネル１を取付けた状態を示しており、また、図４（ａ）は可動部材４と照明器具１７が水平位置の状態を示し、図４（ｂ）は可動部材４が所定の位置まで回動した状態を示している。図３に示すように、本発明のＬＥＤ照明器具照度コントロールパネル１は、支柱１８に取付けられ、反射板５は接続片３にボルト１５によって照明器具１７の支柱側下部で取付けられる。この構成からなるＬＥＤ照明器具照度コントロールパネル１を使用して漏れ光を遮断するためには、図４に示すように可動部材４をボルト１６を回動軸として照明器具１７の光照射面２０側に回動させて、反射板５を湾曲させる。そして、支柱１８側に漏れる光の角度に合わせて反射板５の傾きを調節して固定する。
【００２２】
次に、図５乃至図７に従って本発明のＬＥＤ照明器具照度コントロールパネルの他の実施例を説明する。尚、固定部材２は上記の実施例と同等であり、説明は省略する。
【００２３】
図５は本発明のＬＥＤ照明器具照度コントロールパネルの構成を示す説明図であり、（ａ）は固定部材２正面から見た組立て状態を示し、（ｂ）は側面から見た組立て状態を示している。図６は図５の反射板の回動動作を示し、図７は図５の灯具取り付け金具を取り付けた状態を示している。図に示すように可動部材４は、金属製板材の両端を直角に折り返して、略直角三角形に成形して側面補強部２１とし、固定部材２の接続片３の孔部９と対向して孔部１３が穿設されている。また、図６に示すように側面補強部２１にはそれぞれ蝶番２２を介して反射板２３が回動可能に取付けられており、上下方向に回動可能とされている。
【００２４】
固定部材２の接続片３の起立部８は、可動部材４の側面補強部２１とボルト１６によって回動可能に接続し、そして反射板５はその一端側は上述した接続片３と固定され、他端側は可動部材４の下面に接着剤などによって接着固定され、可動部材４の回動に伴って湾曲する。
【００２５】
上記の構成からなるＬＥＤ照明器具照度コントロールパネル１は、可動部材４をボルト１６周りに照明器具の光照射面側に回動させて反射板５を湾曲した状態で固定することによって、照明器具からの支柱方向への漏れ光を反射板５によって反射或いは散乱させて遮断することが可能となる。しかも反射板２３の角度を適宜に変化させて固定することによって、前記の漏れ光を必要な箇所へ反射させることが可能となる。
【００２６】
以上の構成からなる本発明のＬＥＤ照明器具照度コントロールパネルは、照明器具の一端側に嵌入する支柱を挿通して固定する固定部と、該固定部と連設し前記照明器具の支柱側下面に接続する接続片と、前記固定部と直交して設けられた回動軸と、該回動軸周りに回動する可動部材と、該可動部材と前記接合片により保持される光反射板から構成されたため、
照明器具と、該照明器具を取り付ける支柱との接属部分に接続する構成であり、既存の照明器具を有効に活用できると共に、可動部材の回動角度を調節することで、効果的に支柱側への漏れ光量の調整をして遮断することができる。
【図面の簡単な説明】
【００２７】
【図１】本発明に係るＬＥＤ照明器具照度コントロールパネルの一実施例を示す斜視図である。
【図２】ＬＥＤ照明器具照度コントロールパネルの構成を示す説明図である。
【図３】本発明のＬＥＤ照明器具照度コントロールパネルの使用例を示す説明を示す説明図である。
【図４】図３の可動部材の動作を示す説明図である。
【図５】本発明に係るＬＥＤ照明器具照度コントロールパネルの他の実施例を示す説明図である。
【図６】図５の反射板の動作を示す説明図である。
【図７】図５のＬＥＤ照明器具照度コントロールパネルを取付けた状態を示す底面説明図である。
【符号の説明】
【００２８】
１              ＬＥＤ照明器具照度コントロールパネル
２              固定部材
３              接続片
４              可動部材
５、２３        反射板
６              圧着片
７              ボルト
８              起立部
９              孔部
１０              固定孔部
１１              切欠き部
１２              折返し片
１３、１４        孔部
１５、１６        ボルト
１７              照明器具
１８              支柱
２０              光照射面
２１              側面補強部
２２              蝶番
【図１】
2010123520.tif 000003
【図２】
2010123520.tif 000004
【図３】
2010123520.tif 000005
【図４】
2010123520.tif 000006
【図５】
2010123520.tif 000007
【図６】
2010123520.tif 000008
【図７】
2010123520.tif 000009